(57)【要約】【課題】  フォーカスブラケット撮影では、撮影後に深度合成用の画像が不足していた場合、撮影回数またはステップ幅を設定しなおして、再度フォーカスブラケット撮影を行わなければならないという課題がある。【解決手段】  ピント位置を変えて繰り返し撮影を行うフォーカスブラケット撮影を実行する撮像部と、表示部と、フォーカスブラケット撮影の撮影指示を受け付ける指示入力部と、を備え、表示部は、第１のフォーカスブラケット撮影で得られた画像と、第１のフォーカスブラケット撮影で撮影が行われたピント位置から第２のフォーカスブラケット撮影を更に実行する撮影指示を受け付けるための指示入力部を表示し、撮像部は、指示入力部により第２のフォーカスブラケット撮影の撮影指示を受け付けると、第２のフォーカスブラケット撮影を実行する撮像装置である。【選択図】  図５
2020191599.tif 000002
【特許請求の範囲】
【請求項１】
ピント位置を変えて繰り返し撮影を行うフォーカスブラケット撮影を実行する撮像部と、
表示部と、
フォーカスブラケット撮影の撮影指示を受け付ける指示入力部と、を備え、
前記表示部は、前記撮像部による第１のフォーカスブラケット撮影で得られた画像と、前記第１のフォーカスブラケット撮影で撮影が行われたピント位置から第２のフォーカスブラケット撮影を更に実行する撮影指示を受け付けるための前記指示入力部を表示し、
前記撮像部は、前記指示入力部により前記第２のフォーカスブラケット撮影の撮影指示を受け付けると、第２のフォーカスブラケット撮影を実行する、ことを特徴とする撮像装置。
【請求項２】
前記撮像部は、第１のフォーカスブラケット撮影で最後に撮影が行われたピント位置から前記第２のフォーカスブラケット撮影を実行する、ことを特徴とする請求項１に記載の撮像装置。
【請求項３】
前記撮像部は、前記第２のフォーカスブラケット撮影におけるピント位置のステップ幅を、前記第１のフォーカスブラケット撮影と同じステップ幅で撮影を行う、ことを特徴とする請求項１または２に記載の撮像装置。
【請求項４】
前記指示入力部は、前記第２のフォーカスブラケット撮影で行われる撮影の回数を設定できる、ことを特徴とする請求項１から３の何れか１つに記載の撮像装置。
【請求項５】
前記表示部は、前記指示入力部として、前記第２のフォーカスブラケット撮影の実行可否を入力するため表示と、前記第２のフォーカスブラケットにおける撮影回数を設定するための表示を別に表示でき、前記第２のフォーカスブラケット撮影の実行を指示された場合に前記第２のフォーカスブラケットにおける撮影回数を設定するための表示を行う、ことを特徴とする請求項４に記載の撮像装置。
【請求項６】
ピント位置を変えて繰り返し撮影を行うフォーカスブラケット撮影を実行可能な撮像装置の制御方法であって、
第１のフォーカスブラケット撮影を実行する工程と、
前記第１のフォーカスブラケット撮影で得られた画像と、前記第１のフォーカスブラケット撮影で撮影が行われたピント位置から第２のフォーカスブラケット撮影を更に実行する撮影指示を受け付けるための指示入力部を表示する工程と、
前記指示入力部により前記第２のフォーカスブラケット撮影の撮影指示を受け付けると、第２のフォーカスブラケット撮影を実行する工程とを有する、ことを特徴とする撮像装置の制御方法。
【発明の詳細な説明】
【技術分野】
【０００１】
本発明は、ピント位置を変えて繰り返し撮影を実行するフォーカスブラケット撮影を行う撮像装置に関する。
【背景技術】
【０００２】
従来の撮像装置では、ピントを合わせた位置から望遠側に小刻みにピント位置（フォーカス位置）をずらして複数枚の撮影を行うフォーカスブラケット撮影ができる。また、フォーカスブラケット撮影で撮像された画像を合成して被写界深度が深い合成画像を生成する深度合成機能を備える撮像装置が存在する（特許文献１）。
【先行技術文献】
【特許文献】
【０００３】
【特許文献１】特開２０１７−１５３０６３号公報
【発明の概要】
【発明が解決しようとする課題】
【０００４】
特許文献１に開示された撮像装置は、フォーカスブラケット撮影を実行する場合、撮影回数と各撮影間でピント位置を変化させるステップ幅（レンズ送り量）を予めユーザが設定しておき、被写体像の至近端にピントを合わせた状態から撮影を開始する。そして、撮像装置は、予め設定された設定値に従ってピント位置を変えながら繰り返し撮影を実行する。
【０００５】
しかし、上記の撮影方法では、ユーザは被写体像の至近端にピントを合わせた状態を確認できるが、それ以降の状態についてはフォーカスブラケット撮影後に各撮影画像で確認するしかない。そのため、フォーカスブラケット撮影の撮影終了後に深度合成用の画像が不足していると分かった場合、再度撮影回数またはステップ幅を設定しなおしてフォーカスブラケット撮影を行わなければならない。
【０００６】
そこで、本発明は、フォーカスブラケット撮影を実行した後、フォーカスブラケット撮影を設定からやり直すことなく、そのまま継続して追加のフォーカスブラケット撮影を実行することを可能とする技術を提供するになる。
【課題を解決するための手段】
【０００７】
本発明の１実施態様によれば、ピント位置を変えて繰り返し撮影を行うフォーカスブラケット撮影を実行する撮像部と、表示部と、フォーカスブラケット撮影の撮影指示を受け付ける指示入力部と、を備え、前記表示部は、前記撮像部による第１のフォーカスブラケット撮影で得られた画像と、前記第１のフォーカスブラケット撮影で撮影が行われたピント位置から第２のフォーカスブラケット撮影を更に実行する撮影指示を受け付けるための前記指示入力部を表示し、前記撮像部は、前記指示入力部により前記第２のフォーカスブラケット撮影の撮影指示を受け付けると、第２のフォーカスブラケット撮影を実行する、撮像装置である。
【発明の効果】
【０００８】
本発明によれば、フォーカスブラケット撮影を実行した後、フォーカスブラケット撮影を設定からやり直すことなく、そのまま継続して追加のフォーカスブラケット撮影を実行することを可能である。
【図面の簡単な説明】
【０００９】
【図１】第１の実施形態によるデジタルカメラの外観図である。
【図２】上記デジタルカメラの構成例を示すブロック図である。
【図３】上記デジタルカメラの撮影モードの処理を示すフローチャートである。
【図４】上記デジタルカメラにおけるフォーカスブラケット撮影の設定画面例を示す模式図である。
【図５】上記デジタルカメラにおけるフォーカスブラケット撮影の処理を示すフローチャートである。
【図６】上記デジタルカメラにおける追加のフォーカスブラケット撮影の設定画面例を示す模式図である。
【図７】第２の実施形態によるデジタルカメラのフォーカスブラケット撮影の処理を示すフローチャートである。
【発明を実施するための形態】
【００１０】
以下、図面を参照して本発明の実施形態を説明する。本発明を適用可能な撮像装置としてデジタルカメラを例示して説明するが、撮像機能を有する電子機器であればよい。例えば、カメラ付き携帯電話、スマートフォン、タブレット端末であってもよい。
【００１１】
（第１の実施形態）
図１（ａ）、（ｂ）に第１の実施形態によるデジタルカメラ１００の外観図を示す。図１（ａ）はデジタルカメラ１００の前面斜視図であり、図１（ｂ）はデジタルカメラ１００の背面斜視図である。
【００１２】
表示部２８は、カメラ背面に設けられた表示部であり、画像や各種情報を表示する。ファインダ外表示部４３は、カメラ上面に設けられた表示部であり、シャッター速度や絞りなどのカメラの様々な設定値が表示される。
【００１３】
シャッターボタン６１は撮影指示を行うための操作部である。モード切替スイッチ６０は撮影モードを切り替えるための操作部である。端子カバー４０は外部機器と接続する接続ケーブル、デジタルカメラ１００と接続する接続ケーブルのコネクタ（不図示）などを保護するカバーである。メイン電子ダイヤル７１は操作部７０に含まれる回転操作部材であり、メイン電子ダイヤル７１を回すことで、シャッター速度や絞りなどの設定値を変更することができる。
【００１４】
電源スイッチ７２はデジタルカメラ１００の電源のＯＮ及びＯＦＦを切り替える操作部材である。サブ電子ダイヤル７３は操作部７０に含まれる回転操作部材であり、選択枠の移動や画像送りなどを行うことができる。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。
【００１５】
ＬＶボタン７６は操作部７０に含まれ、メニューボタンにおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１６】
クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダ１６はフォーカシングスクリーン１３を観察することで、レンズユニット１５０を通して得た被写体の光学像の焦点や構図の確認を行うための覗き込み型のファインダである。蓋２０２は記録媒体２００を格納するスロットの蓋である。グリップ部９０は、ユーザがデジタルカメラ１００を構えた際に右手で握りやすい形状とした保持部である。
【００１７】
図２は、デジタルカメラ１００の構成例を示すブロック図である。
【００１８】
レンズユニット１５０は、交換可能な撮影レンズを搭載するレンズユニットである。
【００１９】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００２０】
ＡＥセンサー１７は、レンズユニット１５０を通した被写体の輝度を測光する。
【００２１】
焦点検出部１１は、システム制御部５０にデフォーカス量情報を出力する。システム制御部５０はそれに基づいてレンズユニット１５０を制御し、位相差ＡＦを行う。
【００２２】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２３】
撮影者は、ペンタプリズム１４とファインダ１６を介して、フォーカシングスクリーン１３を観察することで、レンズユニット１５０を通して得た被写体の光学像の焦点や構図の確認が可能となる。
【００２４】
シャッター１０１は、システム制御部５０の制御で撮像部２２の露光時間を自由に制御できるフォーカルプレーンシャッターである。
【００２５】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２８】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２９】
ファインダ内液晶表示部４１には、ファインダ内表示部駆動回路４２を介して、現在オートフォーカスが行われている測距点を示す枠（ＡＦ枠）や、カメラの設定状態を表すアイコンなどが表示される。
【００３０】
ファインダ外液晶表示部４３には、ファインダ外表示部駆動回路４４を介して、シャッター速度や絞りをはじめとするカメラの様々な設定値が表示される。
【００３１】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３２】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００３３】
システムタイマー５３は各種制御に用いる時間や、内蔵された時計の時間を計測する計時部である。
【００３４】
モード切替スイッチ６０、第１シャッタースイッチ６２、第２シャッタースイッチ６４、操作部７０はシステム制御部５０に各種の動作指示を入力するための操作手段である。
【００３５】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３６】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３９】
操作部７０は、ユーザからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００４０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４１】
電源部３０は、アルカリ電池やリチウム電池等の一次電池やＮｉＣｄ電池やＮｉＭＨ電池、Ｌｉ電池等の二次電池、ＡＣアダプター等からなる。
【００４２】
記録媒体Ｉ／Ｆ１８は、メモリカードやハードディスク等の記録媒体２００とのインターフェースである。
【００４３】
記録媒体２００は、撮影された画像を記録するためのメモリカード等の記録媒体であり、半導体メモリや磁気ディスク等から構成される。
【００４４】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加することや、画像を回転して記録することが可能である。姿勢検知部５５としては、加速度センサーやジャイロセンサーなどを用いることができる。
【００４６】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００４７】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４８】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのような操作（タッチ操作）が行なわれたかを判定する。
【００４９】
タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。
【００５０】
更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００５１】
以下、図３〜図７を参照して、デジタルカメラ１００の動作を説明する。
【００５２】
図３は、デジタルカメラ１００の全体的な動作に関するフローチャート図である。このフローチャートにおける各処理は、システム制御部５０が不揮発性メモリ５６に格納されたプログラム等をシステムメモリ５２に展開して実行することにより実現される。
【００５３】
電源スイッチ７２が操作され電源がオンに切り替わると、Ｓ１０１において、フラグや制御変数等を初期化する。続いて、Ｓ１１１において、システムメモリ５２に展開されている撮影設定を読み出す。
【００５４】
Ｓ１０２において、システム制御部５０は、モード切り替えスイッチ６０の設定位置を判断し、撮影モードに設定されていたならばＳ１０４へ進み、それ以外に設定されていたならばＳ１０３へ進む。Ｓ１０４では、システム制御部５０は、撮影モードに関わる処理を行う。
【００５５】
Ｓ１０３において、システム制御部５０は、モード切り替えスイッチ６０の設定位置を判断し、再生モードに設定されていたならばＳ１０５へ進み、それ以外に設定されていたならばＳ１０６へ進む。Ｓ１０５では、システム制御部５０は、再生モードに関わる処理を行う。
【００５６】
Ｓ１０６において、システム制御部５０は、その他のモードに関わる処理を行う。その他のモードとしては、記録媒体２００に格納されたファイルの送受信を行う通信モード等が含まれる。
【００５７】
Ｓ１０７において、システム制御部５０は、電源スイッチ７２がオフであるか否かを判定し、電源オンに設定されていれば、Ｓ１０２へ戻り、電源オフに設定されていれば、Ｓ１０８へ進む。電源ＯＦＦ処理が完了するとデジタルカメラの動作を終了する。
【００５８】
ここで、本実施形態において、撮影設定とは、フォーカスブラケット撮影を実行するか否かを示す設定、フォーカスブラケット撮影における撮影回数、フォーカスブラケット撮影におけるピント位置のステップ幅の各設定値とする。以下の説明では、撮影設定において、フォーカスブラケット撮影を実行するか否かを示す設定として「する」が選択されているものとし、撮影モードに関わる処理について述べる。
【００５９】
（フォーカスブラケット撮影の設定）
撮影設定は、操作部７０のメニューボタンを押すことで設定可能である。また、システム制御部５０は、表示部２８に設定のメニュー画面を表示し、操作部７０のタッチパネル７０ａに対するユーザ操作に応じて、撮影設定を行う。ここでは、フォーカスブラケット撮影の設定機能について、その設定画面の一例を図４（ａ）から図４（ｅ）を用いて説明する。
【００６０】
図４（ａ）には、撮影機能４０２が一覧表示されている。ユーザは操作部材７０に含まれる十字キー７４などを押下することでカーソル４０４を移動させ、ＳＥＴボタンを押下することで任意の撮影機能の設定画面へ遷移する。
【００６１】
図４（ｂ）はフォーカスブラケット撮影の設定画面の一例である。機能タイトル４１２と、フォーカスブラケット撮影に関する各種機能４１４〜４１８が表示されている。また、機能４１４と、それに対する設定値４２０が一覧表示されている。
【００６２】
フォーカスブラケット撮影４１４は、フォーカスブラケット撮影を実行するか否かを示す設定する項目である。この項目に関する設定画面例は図４（ｃ）に示す通りであり、ユーザは選択肢４３２の中から設定値を選択する。「する」設定時は機能の実行を行う。「しない」設定時は機能の実行を行わない。
【００６３】
撮影回数４１６は、フォーカスブラケット撮影における撮影回数を設定する項目である。設定画面例は図４（ｄ）に示す通りであり、ユーザは３桁の各数字を変更する事で撮影回数を設定する。ここでは、百の位にフォーカスが当たっていてこの数値を変更できる状態になっている。この時、指標４４８、指標４５０が表示されていて、操作部材７０に含まれる十字キー７４の上下ボタンを押下するか、各指標へのタッチ操作を行う事で数値を変更できる。
【００６４】
ステップ幅４１８は、フォーカスブラケット撮影のピント位置のステップ幅（フォーカスステップ幅）を設定する項目である。設定画面例は図４（ｅ）に示す通りであり、ユーザは１から９の１桁の数字を変更する事でフォーカスステップ幅を設定する。ここでは、指標４６４、指標４６６が表示されていて、操作部材７０に含まれる十字キー７４の上下ボタンを押下するか、各指標へのタッチ操作を行う事で数値を変更できる。
【００６５】
上記設定より、フォーカスブラケット撮影における設定が可能になる。なお、本実施形態では説明を省略するが、撮影回数、ステップ幅以外の撮影設定を行うことができるようにしてもよい。
【００６６】
図５は、上述の撮影設定で予め設定された内容に従ってフォーカスブラケット撮影（第１のフォーカスブラケット撮影）を実行した後に継続して、追加のフォーカスブラケット撮影（第２のフォーカスブラケット撮影）を実行する処理を示したフローチャートである。
【００６７】
このフローチャートにおける各処理は、システム制御部５０が不揮発性メモリ５６に格納されたプログラムをシステムメモリ５２に展開して実行することにより実現される。
【００６８】
システム制御部５０は、撮影モード処理を開始すると、ステップＳ５０１において撮影待機画面の表示処理を行う。これは、不揮発性メモリ５６に記憶されているフォーカスブラケット撮影の設定値を取得してシステムメモリ５２に格納したり、撮像部２２からの画像データに従って画像表示するスルー表示を行ったりする。ここで、スルー表示とは、撮像部２２で撮像されている撮影画像を記録媒体２００に記録することなく、ほぼリアルタイムで表示部２８に表示するものである。ユーザはスルー表示された画像を確認して、画角の確認や撮影のタイミングを計ることができる。
【００６９】
ステップＳ５０２において、システム制御部５０は、ユーザによる撮影操作が実施されたか否かを判定する。ステップＳ５０２において、撮影操作が実施されたと判定した場合（Ｙｅｓ）には、ステップＳ５０３に進み、撮影操作が実施されていないと判定した場合（Ｎｏ）には、ステップＳ５０１に進む。
【００７０】
ステップＳ５０３おいて、システム制御部５０は、ユーザが予め設定した撮影回数４１６とステップ幅４１８で、第１のフォーカスブラケット撮影処理を実行し、ステップＳ５０４へ進む。
【００７１】
ステップＳ５０４において、システム制御部５０は、第１のフォーカスブラケット撮影処理で撮影された画像の確認画面を表示部２８に表示し、ステップＳ５０５へ進む。表示部２８は、第１のフォーカスブラケット撮影で得られた複数枚の画像をそれぞれ表示してもよく、画像処理部２４で深度合成された合成画像を表示してもよい。ユーザが、第１のフォーカスブラケット撮影で得られた画像に、被写体像の所望の領域でピントがあった深度合成画像を生成するための画像が不足しているか否かを確認できればよい。
【００７２】
ステップＳ５０５において、システム制御部５０は、ユーザによる追加撮影指示が実施されたか否かを判定する。ユーザによる追加撮影指示は、表示部２８にＧＵＩで構成する表示アイコンの操作部７０を介した操作であってもよいし、表示部２８と座標を対応付けられたタッチパネル７０ａによる表示アイコンの操作であってもよい。なお、表示アイコンは、イラストで示されるものでも文字で示されるものでもよく、ユーザの撮影指示を受け付ける指示入力部として機能するものであればよい。
【００７３】
図６（ａ）は、追記撮影指示操作画面（Ｓ５０６）の一例である。６０１はユーザへの追加撮影操作ガイダンス表示であり、６０２は追加撮影を実施しない指示を受け付ける指示入力部（項目）、６０３は追加撮影を実施する指示を受け付ける指示入力部（項目）である。
【００７４】
ステップＳ５０５において、追加撮影指示が実施されたと判定した場合（Ｙｅｓ）には、ステップＳ５０６に進み、追加撮影指示が実施されていないと判定した場合（Ｎｏ）には、ステップＳ５０７に進む。
【００７５】
ステップＳ５０６において、システム制御部５０は、第１のフォーカスブラケット撮影時と同じステップ幅４１８を取得し、ステップＳ５０８へ進む。
【００７６】
ステップＳ５０７において、システム制御部５０は、ピント位置を第一のフォーカスブラケット撮影開始時点の位置に戻し、ステップＳ５１２へ進む。
【００７７】
ステップＳ５０８において、システム制御部５０は、第２のフォーカスブラケット撮影に使用する撮影回数を取得し、ステップＳ５０９へ進む。第２のフォーカスブラケット撮影の撮影回数は、撮影回数４１６とは異なる予め決められた固定の設定値を不揮発性メモリ５６から取得してもよいし、表示部２８に撮影回数を設定するためのＧＵＩを構成し、ユーザが設定できるようにしてもよい。なお、第２のフォーカスブラケット撮影の撮影回数の設定操作は、表示部２８にＧＵＩで構成する表示アイコンの操作部７０を介した操作であってもよいし、表示部２８と座標を対応付けられたタッチパネル７０ａによる表示アイコンの操作であってもよい。
【００７８】
ステップＳ５０９において、システム制御部５０は、ユーザによる撮影操作が実施されたか否かを判定する。ステップＳ５０９において、撮影操作が実施されたと判定した場合（Ｙｅｓ）には、ステップＳ５１０へ進み、撮影操作が実施されていないと判定した場合（Ｎｏ）には、ステップＳ５０８へ進む。なお、ユーザによる撮影操作は、表示部２８にＧＵＩで構成する表示アイコンの操作部７０を介した操作であってもよいし、表示部２８と座標を対応付けられたタッチパネル７０ａによる表示アイコンの操作であってもよい。また、シャッターボタン６１を押下する操作であってもよい。
【００７９】
図６（ｂ）〜（ｄ）は、第２のフォーカスブラケット撮影の撮影回数を設定する設定画面（Ｓ５０８）と撮影操作の入力画面（Ｓ５０９）の表示画面例を示している。
【００８０】
図６（ｂ）は、予め決められた撮影回数（図６（ｂ）では１０回としている）にて追加の第２のフォーカスブラケット撮影を実行するための画面例である。６０４は追加撮影を開始する指示を受け付ける指示入力部（項目）であり、６０５はユーザへのガイダンス表示である。
【００８１】
図６（ｃ）は、第２のフォーカスブラケット撮影の撮影回数を複数の選択肢からユーザが選択して、追加の第２のフォーカスブラケット撮影を実行するための画面例である。６０７は、撮影回数の選択肢を表示する表示画面へ遷移する指示を受け付ける指示入力部（項目）であり、６１１、６１２、６１３は撮影回数の選択肢を示す表示アイコン。ユーザが６１１、６１２、６１３のいずれかを選択することで、追加の第２のフォーカスブラケット撮影における撮影回数を設定して撮影を開始する。
【００８２】
図６（ｄ）は、第２のフォーカスブラケット撮影の撮影回数をユーザが任意に設定して、追加撮影を実行するための表示画面例である。６２１は、撮影回数の設定値を示す項目であり、６２２および６２３は、撮影回数を増減させるための表示アイコンである。
【００８３】
また、図６（ｂ）〜（ｄ）に表示された、表示アイコン６０６は追加撮影操作を終了するためアイコンであり、６０６を選択することでステップＳ５０５における追加撮影指示をキャンセルできるようにしてもよい。
【００８４】
ステップＳ５１０において、システム制御部５０は、ステップＳ５０６およびステップＳ５０８で設定された撮影回数とステップ幅で、第２のフォーカスブラケット撮影処理を実行し、ステップＳ５１１へ進む。
【００８５】
ステップＳ５１１において、システム制御部５０は、第２のフォーカスブラケット撮影処理で撮影された画像の確認画面を表示部２８に表示し、ステップＳ５１２へ進む。ステップＳ５１１における表示は、ステップＳ５０４における確認表示と同様である。
【００８６】
ステップＳ５１２において、システム制御部５０は、撮影モード終了操作が実施されたか否かを判定する。ステップＳ５１２において、撮影モード終了処理操作が実施されたと判定した場合（Ｙｅｓ）には、処理を終了し、撮影モード終了処理操作が実施されていないと判定した場合（Ｎｏ）には、ステップＳ５０１へ戻る。
【００８７】
以上説明したように、第１の実施形態によれば、予め設定された撮影回数のフォーカスブラケット撮影の完了後、最後に撮影した画像のピント位置から、同じステップ幅で撮影回数のみを変更し、継続して追加のフォーカスブラケット撮影を実行することが可能になる。なお、第２のフォーカスブラケット撮影は、第１のフォーカスブラケット撮影の最後の撮影のピント位置の次のピント位置から撮影を開始してもよい。
【００８８】
なお、第１の実施形態では、追加のフォーカスブラケット撮影を１度実行可能なようにしているが、追加のフォーカスブラケット撮影を繰り返し、複数回実行できるようにしてもよい。
【００８９】
（第２の実施形態）
第２の実施形態では、第２のフォーカスブラケット撮影の実行可否を予め設定する形態である。第２の実施形態のデジタルカメラの構成は、基本的には第１の実施形態と同じである。
【００９０】
図７は、第２の実施形態によるデジタルカメラのフォーカスブラケット撮影の処理を示すフローチャートである。このフローチャートにおける各処理は、システム制御部５０が不揮発性メモリ５６に格納されたプログラムをシステムメモリ５２に展開して実行することにより実現される。なお、図７のステップＳ７０１〜Ｓ７１２は、図５のステップＳ５０１〜Ｓ５１２はと同様の処理であるため説明を省略する。
【００９１】
ステップＳ７１３において、システム制御部５０は、第２のフォーカスブラケット撮影の実行が可能か否かを判定する。ステップＳ７１３において、第２のフォーカスブラケット撮影が実行可能と判定した場合（Ｙｅｓ）には、ステップＳ７０６へ進み、第２のフォーカスブラケット撮影が実行不可と判定した場合（Ｎｏ）には、ステップＳ７０７へと進む。
【００９２】
第２のフォーカスブラケット撮影の実行可否は、図４（ｂ）で示したようなフォーカスブラケット機能の設定画面に設けてもよいし、別の設定項目として設定メニューを設けてもよい。
【００９３】
以上のように、第２の実施形態によれば、第２のフォーカスブラケット撮影の実行可否をユーザは予め設定しておくことができる。
【００９４】
以上説明したように、本発明によれば、フォーカスブラケット撮影後、最終画像がユーザ所望のピント位置より至近端側であった場合に、設定メニューに遷移して設定値を変更することなく撮影を完了できるため、設定値の再設定や撮影開始位置（ピント位置）調整の再撮影時にかかるユーザ負担が削減できる。
【００９５】
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００９６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９７】
（その他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2020191599.tif 000003
【図２】
2020191599.tif 000004
【図３】
2020191599.tif 000005
【図４】
2020191599.tif 000006
【図５】
2020191599.tif 000007
【図６】
2020191599.tif 000008
【図７】
2020191599.tif 000009